(57)【要約】【課題】  紫外線光源を廃止して構造を簡素化することが可能な空気浄化装置を提供すること。【解決手段】  空気浄化装置１は、表面に色素が固定化されるとともに空気が通過可能なコルゲート積層体３０を備え、このコルゲート積層体３０に蛍光管５０から可視光を照射する。そして、可視光を吸収して三重項励起状態となった色素により、コルゲート積層体３０を通過する空気中の酸素を一重項酸素とし、この一重項酸素により空気中の汚染分子を酸化分解する。これによると、可視光を用いて空気を浄化することができ、紫外線光源を必要としない。したがって、紫外線光源を廃止し構造を簡素化することができる。【選択図】        図１
2006081618.tif 000002
【特許請求の範囲】
【請求項１】
空気が通過可能な通気性部材（３０）と、
前記通気性部材（３０）の表面に固定化され、可視光を吸収して三重項励起状態となりうる色素（４１、４２、４３）と、
前記通気性部材（３０）に向かって可視光を照射する照射手段（５０）とを備え、
前記照射手段（５０）が照射する可視光を吸収して三重項励起状態となった前記色素（４１、４２、４３）により、前記通気性部材（３０）を通過する空気中の酸素を一重項酸素とし、この一重項酸素により前記空気中の汚染分子を分解することを特徴とする空気浄化装置。
【請求項２】
前記色素（４１、４２、４３）は、複数種を混在させてなることを特徴とする請求項１に記載の空気浄化装置。
【請求項３】
前記照射手段（５０）は、可視光を発光する発光手段（５０）を備えることを特徴とする請求項１または請求項２に記載の空気浄化装置。
【請求項４】
前記発光手段（５０）は、蛍光管（５０）、白熱灯、およびエレクトロルミネッセンスを利用した発光源から選ばれることを特徴とする請求項３に記載の空気浄化装置。
【請求項５】
前記照射手段（６０）は、外部から太陽光を導光する導光手段（６０）を備えることを特徴とする請求項１または請求項２に記載の空気浄化装置。
【請求項６】
前記通気性部材（３０）は、可視光を透過する性質を有するとともに、前記照射手段（５０）が照射する可視光に対し影となる部位にも前記色素（４１、４２、４３）を固定化していることを特徴とする請求項１ないし請求項５のいずれか１つに記載の空気浄化装置。
【請求項７】
前記通気性部材（３０）は、可視光を反射する性質を有するとともに、前記照射手段（５０）が照射する可視光に対し影となる部位にも前記色素（４１、４２、４３）を固定化していることを特徴とする請求項１ないし請求項５のいずれか１つに記載の空気浄化装置。
【請求項８】
前記通気性部材（３０）は、セルロース、セラミック、ガラス、および樹脂から選ばれる材料からなることを特徴とする請求項１ないし請求項７のいずれか１つに記載の空気浄化装置。
【請求項９】
前記通気性部材（３０）は、ハニカム状体、コルゲート状体、プリーツ布状体、および綿状体から選ばれる構造体からなることを特徴とする請求項１ないし請求項８のいずれか１つに記載の空気浄化装置。
【請求項１０】
可視光を発光する発光手段（５０）と、
前記発光手段（５０）の表面に固定化され、可視光を吸収して三重項励起状態となりうる色素（４１、４２、４３）とを備え、
前記発光手段（５０）が発光する可視光を吸収して三重項励起状態となった前記色素（４１、４２、４３）により、前記発光手段（５０）の周囲を通過する空気中の酸素を一重項酸素とし、この一重項酸素により前記空気中の汚染分子を分解することを特徴とする空気浄化装置。
【請求項１１】
前記発光手段（５１）は、エレクトロルミネッセンスを利用した発光源であることを特徴とする請求項１０に記載の空気浄化装置。
【請求項１２】
前記発光手段（５１）は、シート状の有機ＥＬランプ（５１）を積層してなることを特徴とする請求項１０に記載の空気浄化装置。
【請求項１３】
前記色素（４１、４２、４３）は、メチレンブルー、チオニン、ローズベンガル、エリトロシン、エオシンＹ、フルオレッセイン、プロフラビン、フルオレノン、ローダミンＢ、テトラフェニルポルフィリン、クロロフィル、クロロフィリン、ヘモグロビン、ヘミン、およびこれらの誘導体から選ばれることを特徴とする請求項１ないし請求項１３のいずれか１つに記載の空気浄化装置。
【請求項１４】
前記色素（４１、４２、４３）は、前記色素（４１、４２、４３）を担持する担持体（４９）とともに固定されていることを特徴とする請求項１ないし請求項１３のいずれか１つに記載の空気浄化装置。
【請求項１５】
前記担持体（４９）は、チタニア、ゼオライト、シリカゲル、活性炭、およびアルミナから選ばれることを特徴とする請求項１４に記載の空気浄化装置。
【発明の詳細な説明】
【技術分野】
【０００１】
本発明は、空気浄化装置に関し、特に、一重項酸素を生成して空気中の汚染分子を酸化分解する空気浄化装置に関する。
【背景技術】
【０００２】
従来から、酸化チタンを光触媒として用い、空気中の汚染分子を酸化反応等により分解除去する空気浄化装置が知られている。このような空気浄化装置では、酸化チタンを固定した部材に紫外線ランプ等により紫外線を照射して、空気の浄化を行なうようになっている。
【発明の開示】
【発明が解決しようとする課題】
【０００３】
しかしながら、上記従来技術の空気浄化装置では、紫外線光源が必要であり、紫外線の装置外への漏洩を防止したり紫外線による構成部材の劣化を抑制したりするために、構造が複雑になり比較的高価になり易いという問題がある。
【０００４】
本発明は、上記点に鑑みてなされたものであり、紫外線光源を廃止して構造を簡素化することが可能な空気浄化装置を提供することを目的とする。
【課題を解決するための手段】
【０００５】
上記目的を達成するため、請求項１に記載の発明では、
空気が通過可能な通気性部材（３０）と、
通気性部材（３０）の表面に固定化され、可視光を吸収して三重項励起状態となりうる色素（４１、４２、４３）と、
通気性部材（３０）に向かって可視光を照射する照射手段（５０）とを備え、
照射手段（５０）が照射する可視光を吸収して三重項励起状態となった色素（４１、４２、４３）により、通気性部材（３０）を通過する空気中の酸素を一重項酸素とし、この一重項酸素により空気中の汚染分子を分解する空気浄化装置であることを特徴としている。
【０００６】
これによると、可視光を用いて空気を浄化することができる。したがって、紫外線光源を必要としない。このようにして、紫外線光源を廃止し構造を簡素化することができる。
【０００７】
また、請求項２に記載の発明では、色素（４１、４２、４３）は、複数種を混在させてなることを特徴としている。
【０００８】
これによると、色素の可視光吸収波長域を広くすることが可能である。したがって、可視光エネルギーの吸収効率を向上し、一重項酸素を効率よく生成することができる。
【０００９】
また、請求項３に記載の発明では、照射手段（５０）は、可視光を発光する発光手段（５０）を備えることを特徴としている。
【００１０】
これによると、発光手段（５０）が発光した可視光を、色素（４１、４２、４３）を固定化した通気性部材（３０）に照射することができる。したがって、可視光の照射量を安定させることができる。
【００１１】
また、請求項４に記載の発明のように、発光手段（５０）は、蛍光管（５０）、白熱灯、およびエレクトロルミネッセンスを利用した発光源から選ぶことができる。
【００１２】
また、請求項５に記載の発明では、照射手段（６０）は、外部から太陽光を導光する導光手段（６０）を備えることを特徴としている。
【００１３】
これによると、導光手段（６０）が導光した可視光を、色素（４１、４２、４３）を固定化した通気性部材（３０）に照射することができる。したがって、可視光の発光手段を設ける必要がない。
【００１４】
また、請求項６に記載の発明では、通気性部材（３０）は、可視光を透過する性質を有するとともに、照射手段（５０）が照射する可視光に対し影となる部位にも色素（４１、４２、４３）を固定化していることを特徴としている。
【００１５】
これによると、通気性部材（３０）の可視光が直接照射されない部位に固定化した色素（４１、４２、４３）にも、通気性部材（３０）を透過した可視光を吸収させることができる。したがって、一重項酸素の生成効率を一層向上することができる。
【００１６】
また、請求項７に記載の発明では、通気性部材（３０）は、可視光を反射する性質を有するとともに、照射手段（５０）が照射する可視光に対し影となる部位にも色素（４１、４２、４３）を固定化していることを特徴としている。
【００１７】
これによると、通気性部材（３０）の可視光が直接照射されない部位に固定化した色素（４１、４２、４３）にも、通気性部材（３０）が反射した可視光を吸収させることが可能である。したがって、一重項酸素の生成効率を一層向上することができる。
【００１８】
また、請求項８に記載の発明のように、通気性部材（３０）は、セルロース、セラミック、ガラス、および樹脂から選んだ材料により形成することができる。
【００１９】
また、請求項９に記載の発明では、通気性部材（３０）は、ハニカム状体、コルゲート状体、プリーツ布状体、および綿状体から選ばれた構造体からなることを特徴としている。
【００２０】
これによると、通気性部材（３０）の表面積を大きくすることが可能であり、色素（４１、４２、４３）を固定する面積を大きくすることができる。
【００２１】
また、請求項１０に記載の発明では、
可視光を発光する発光手段（５０）と、
発光手段（５０）の表面に固定化され、可視光を吸収して三重項励起状態となりうる色素（４１、４２、４３）とを備え、
発光手段（５０）が発光する可視光を吸収して三重項励起状態となった色素（４１、４２、４３）により、発光手段（５０）の周囲を通過する空気中の酸素を一重項酸素とし、この一重項酸素により空気中の汚染分子を分解する空気浄化装置であることを特徴としている。
【００２２】
これによると、可視光を用いて空気を浄化することができる。したがって、紫外線光源を必要としない。このようにして、紫外線光源を廃止し構造を簡素化することができる。また、発光手段（５０）が発光する可視光を確実に色素（４１、４２、４３）に吸収させることができる。
【００２３】
また、請求項１１に記載の発明のように、表面に色素（４１、４２、４３）を固定化した発光手段（５１）は、エレクトロルミネッセンスを利用した発光源とすることができる。
【００２４】
また、請求項１２に記載の発明では、表面に色素（４１、４２、４３）を固定化した発光手段（５１）は、シート状の有機ＥＬランプ（５１）を積層してなることを特徴としている。
【００２５】
これによると、発光手段（５１）の表面積を大きくすることが可能であり、色素（４１、４２、４３）を固定する面積を大きくすることができる。
【００２６】
また、請求項１３に記載の発明のように、色素（４１、４２、４３）は、メチレンブルー、チオニン、ローズベンガル、エリトロシン、エオシンＹ、フルオレッセイン、プロフラビン、フルオレノン、ローダミンＢ、テトラフェニルポルフィリン、クロロフィル、クロロフィリン、ヘモグロビン、ヘミン、およびこれらの誘導体から選ぶことができる。
【００２７】
また、請求項１４に記載の発明では、色素（４１、４２、４３）は、色素（４１、４２、４３）を担持する担持体（４９）とともに固定されていることを特徴としている。
【００２８】
これによると、通気性部材（３０）に色素（４１、４２、４３）を直接固定する場合より、色素（４１、４２、４３）を固定する面積を大きくすることができる。
【００２９】
また、請求項１５に記載の発明のように、担持体（４９）は、チタニア、ゼオライト、シリカゲル、活性炭、およびアルミナから選ぶことができる。
【００３０】
なお、上記各手段に付した括弧内の符号は、後述する実施形態記載の具体的手段との対応関係を示す一例である。
【発明を実施するための最良の形態】
【００３１】
以下、本発明の実施の形態を図に基づいて説明する。
【００３２】
（第１の実施形態）
図１は、本発明を適用した第１の実施形態における空気浄化装置１の概略構成を示す断面図である。また、図２（ａ）は、空気浄化装置１に用いられる通気性部材であるコルゲート積層体３０の概略構成を示す斜視図であり、図２（ｂ）は、コルゲート積層体３０の表面拡大図である。
【００３３】
図１に示す本実施形態の空気浄化装置１は、車両用の空気浄化装置（空気清浄器）であって、例えば車室内後方のリアトレイ上に載置され、車室内の空気を浄化するものである。
【００３４】
図１に示すように、空気浄化装置１は、内部に空気通路を形成する樹脂製のケース１０を備えている。
【００３５】
このケース１０の上面の図示左方側部には、車室内空気を導入するための吸入口１１が形成され、ケース１０の上面の図示右方側部には、導入空気を車室内に排出するための排出口１２が形成されている。
【００３６】
また、ケース１０内の吸入口１１より下流側には、空気流を発生させるファン２０が配設されている。このファン２０は、回転軸方向から空気を吸入して径外方向に吹き出す遠心式のファンであり、モータ２１により回転駆動されるようになっている。
【００３７】
そして、ケース１０内においてファン２０より空気流れ下流側には、空気通路の全域を横切るように、空気が通過可能な通気性部材であるコルゲート積層体３０が配設されている。
【００３８】
コルゲート積層体３０は、図２（ａ）に示すように、波板部３１と平板部３２とを交互に積層してなり、波板部３１と平板部３２とが相互に接着されて紙面表裏方向に空気を流通可能な構造体を形成している。
【００３９】
波板部３１および平板部３２は、ともにセルロースを紙状としたものであり、波板部３１は、これをさらにコルゲート状に成形したものである。
【００４０】
コルゲート積層体３０の表面には、略全面に、図２（ｂ）に示すように色素層４０が形成されている。本実施形態では色素としてメチレンブルー４１、エオシンＹ４２、およびローズベンガル４３を採用しており、色素層４０は、各色素毎に印刷されたメチレンブルー４１固定領域４１Ａ、エオシンＹ４２固定領域４２Ａ、およびローズベンガル４３固定領域４３Ａにより構成されている。
【００４１】
このコルゲート積層体３０とファン２１との間には、可視光を発光しコルゲート積層体３０に向かって照射するための照射手段として、蛍光管５０が配設されている。
【００４２】
次に、上記構成に基づき空気浄化装置１の作動について説明する。
【００４３】
空気浄化装置１に給電されると、モータ２１が作動してファン２０を回転駆動し、ケース１０内に吸入口１１から排出口１２へ向かう空気流を発生させ、コルゲート積層体３０を空気が通過する。また、蛍光管５０が点灯して可視光を発光する。
【００４４】
蛍光管５０から発光した可視光は、コルゲート積層体３０に照射されるとコルゲート積層体３０の表面に固定されたメチレンブルー４１、エオシンＹ４２、およびローズベンガル４３に吸収される。
【００４５】
蛍光管５０から照射され各色素に直接吸収されなかった可視光の一部は、コルゲート積層体３０の内部を透過したり、コルゲート積層体３０の表面で反射したりする。したがって、コルゲート積層体３０の可視光が直接照射されない部位に固定化されている色素にも、コルゲート積層体３０を透過もしくは反射した可視光を吸収させることができる。
【００４６】
この可視光の吸収により、図３にエネルギー準位の図を示すように、各色素は一重項基底状態から励起されて一重項励起状態となる。各色素は一重項励起状態となった後、容易に三重項励起状態へ系間交差（項間交差）する。
【００４７】
この三重項励起状態の色素に、コルゲート積層体３０を通過する空気中の酸素が接触すると（近づくと）、三重項励起状態の色素から酸素にエネルギー（三重項励起状態から一重項基底状態へ系間交差するときに発生するエネルギー）が移行する。このエネルギーを受け取った酸素は、三重項基底状態から一重項励起状態へ励起される。
【００４８】
この一重項励起状態の不安定な状態の酸素は、所謂活性酸素と呼ばれるもののひとつであって、コルゲート積層体３０を通過する空気中の汚染分子（におい分子や有機溶剤分子等、例えばアセトアルデヒド分子）を酸化分解する。
【００４９】
したがって、吸入口１１から空気浄化装置１内に吸入された車室内の空気は、コルゲート積層体３０を通過するときに汚染分子を酸化分解され、浄化された空気となって排出口１２から車室内に吹き出される。
【００５０】
上述の構成および作動によれば、蛍光管５０の発光する可視光を色素に照射して空気を浄化することができ、紫外線光源は不要である。したがって、従来のように、紫外線の装置外への漏洩を防止したり紫外線による構成部材（特にケース１０）の劣化を抑制したりするために、構造が複雑になることを防止できる。このようにして、紫外線光源を廃止して構造を簡素化することができる。
【００５１】
本実施形態では、可視光の発光手段は蛍光管５０であったが、可視光を発光するものであればよく、白熱灯、エレクトロルミネッセンスを利用した発光源を適用することができる。
【００５２】
また、蛍光管５０はコルゲート積層体３０の空気流れ上流側に配設されていたが、これに限定されるものではなく、空気流れ下流側であってもよい。また、コルゲート積層体３０内に配設空間を形成し、この空間に蛍光管５０を配設してもかまわない。これによれば、コルゲート積層体５０に固定した色素に可視光を確実に照射し易い。
【００５３】
また、コルゲート積層体３０の表面に固定化される色素は、メチレンブルー４１、エオシンＹ４２、およびローズベンガル４３であったが、可視光を吸収して三重項励起状態となり空気中の酸素を一重項励起状態とできる色素であればよく、メチレンブルー４１、エオシンＹ４２、ローズベンガル４３の他に、チオニン、エリトロシン、フルオレッセイン、プロフラビン、フルオレノン、ローダミンＢ、テトラフェニルポルフィリン、クロロフィル類、クロロフィリン、ヘモグロビン類、ヘミン、およびこれらの誘導体を単独もしくは複数組み合わせて採用可能である。
【００５４】
上記実施形態のように、複数種の色素（メチレンブルー４１、エオシンＹ４２、およびローズベンガル４３）を混在させた場合には、色素の可視光吸収波長域を広くすることが可能である。
【００５５】
図４に色素の吸光度特性を示すように、例えばローズベンガル４３を単独で用いた場合には、吸収可能な波長域はＡ２であるのに対し、３種類の色素を混在させた場合には、吸収可能な波長域をＡ１とすることができる。したがって、可視光エネルギーの吸収効率を向上し、一重項酸素を効率よく生成することができる。なお、図４において、混在と記した吸光度特性は、メチレンブルー４１、エオシンＹ４２、およびローズベンガル４３を略等モルとした場合である。
【００５６】
したがって、上述のメチレンブルー４１、エオシンＹ４２、ローズベンガル４３以外の有機色素およびこれらの誘導体を複数種組み合わせて採用する場合においても、吸光度特性（吸光度波長域）の異なるものを組み合わせることが好ましい。
【００５７】
複数種の色素を混在させる場合には、上記実施形態のように、各色素が異なる領域を覆うように固定化するものが各色素を確実に可視光吸収励起するために好ましいが、混合した色素を固定化するものであってもかまわない。色素は水溶液あるいは有機溶液にして基材表面に沈着させ、色素層を形成することができる。
【００５８】
また、コルゲート積層体３０からなる通気性部材はセルロースにより形成されていたが、セラミック、樹脂（例えば、ポリプロピレン、ポリエチレン、ポリスチレン等）、ガラスにより形成することもできる。構成材料は、光源から直接照射できない部位の色素にも可視光を吸収させるため、少なくとも可視光を透過もしくは反射するものであることが好ましい。また、一度固定化した色素が脱離し難い材料からなることが好ましい。
【００５９】
また、通気性部材はコルゲート積層体に限らず、ハニカム状体、プリーツ布状体、綿状体であってもよい。例えば、材質がセルロースの場合には、織布もしくは不織布としプリーツフィルタとしたものであってもよい。材質がセラミックの場合には、押し出し成形によりハニカム状体としたもの、紙状にしてコルゲート状に成形したもの、紙状にしてプリーツフィルタとしたもの、綿状にしたものであってもよい。材質がガラスの場合には、ガラス繊維を紙状にしてコルゲート状に成形したもの、紙状にしてプリーツフィルタとしたもの、綿状としたものであってもよい。
【００６０】
これらの形状とすることにより、通気性部材の表面積を大きくすることができ、色素の固定化面積を増大させるとともに、色素と空気とを効率的に接触させることができる。
【００６１】
また、色素はコルゲート積層体等の通気性部材の表面に直接固定化するものに限らず、例えば図５に示すように、担持体４９を介して固定するものであってもよい。これによって、色素の固定化面積をさらに増大させるとともに、色素と空気とを一層効率的に接触させることができる。
【００６２】
なお、担持体４９は、チタニア、ゼオライト、シリカゲル、活性炭、およびアルミナのいずれかにより形成することができる。
【００６３】
（第２の実施形態）
次に、第２の実施形態について図６に基づいて説明する。
【００６４】
本第２の実施形態は、前述の第１の実施形態と比較して、蛍光管の表面に色素層を形成した点が異なる。なお、第１の実施形態と同様の部分については、同一の符号をつけ、その説明を省略する。
【００６５】
図６に示すように、本実施形態では、可視光を発光する発光手段である蛍光管５０を複数設け、これらの表面に色素層４０を形成している。したがって、本実施形態では色素を固定するための通気性部材を設けていない。
【００６６】
本実施形態の構成によれば、蛍光管５０の発した可視光は、蛍光管５０表面の色素（メチレンブルー４１、エオシンＹ４２、およびローズベンガル４３）に吸収され、色素は三重項励起状態となる。この三重項励起状態の色素に蛍光管５０の周囲を通過する空気中の酸素が接触すると、色素から酸素にエネルギーが移行し、一重項酸素が生成される。
【００６７】
したがって、吸入口１１から空気浄化装置１内に吸入された車室内の空気は、蛍光管５０の周囲を通過するときに汚染分子を酸化分解され、浄化された空気となって排出口１２から車室内に吹き出される。
【００６８】
本実施形態の空気浄化装置１においても、蛍光管５０が発光する可視光を色素に照射して空気を浄化することができ、紫外線光源は不要である。したがって、第１の実施形態と同様に、紫外線の装置外への漏洩を防止したり紫外線による構成部材の劣化を抑制したりするために、構造が複雑になることを防止できる。このようにして、紫外線光源を廃止して構造を簡素化することができる。
【００６９】
また、蛍光管５０の表面に色素層４０が形成されているので、色素に強い可視光を略均一に照射でき、一重項酸素を多量に発生することができる。また、蛍光管５０を複数設けているので、色素と空気とを接触させ易い。さらに、通気性部材を必要としないので、空気浄化装置１を小型化し易い。
【００７０】
本実施形態では、可視光の発光手段は蛍光管５０であったが、可視光を発光するものであればよく、白熱灯、エレクトロルミネッセンスを利用した発光源（有機ＥＬ、薄膜型ＥＬ、ＬＥＤ等）を適用することができる。特に、エレクトロルミネッセンスを利用した発光源を採用した場合には、発光面積を確保し易く、色素層４０の形成面積も大きく確保し易い。
【００７１】
また、蛍光管５０の表面に固定化される色素は、可視光を吸収して三重項励起状態となり空気中の酸素を一重項励起状態とできる色素であればよく、第１の実施形態と同様に、メチレンブルー４１、エオシンＹ４２、ローズベンガル４３の他に、チオニン、エリトロシン、フルオレッセイン、プロフラビン、フルオレノン、ローダミンＢ、テトラフェニルポルフィリン、クロロフィル類、クロロフィリン、ヘモグロビン類、ヘミン、およびこれらの誘導体を単独もしくは複数組み合わせて採用可能である。
【００７２】
（第３の実施形態）
次に、第３の実施形態について図７に基づいて説明する。
【００７３】
本第３の実施形態は、前述の第１の実施形態と比較して、有機ＥＬの表面に色素層を形成した点が異なる。なお、第１の実施形態と同様の部分については、同一の符号をつけ、その説明を省略する。
【００７４】
図７（ａ）に示すように、本実施形態では、可視光を発光する発光手段であるシート状の有機ＥＬランプ（有機エレクトロルミネッセントランプ）５１を複数枚設け、図７（ｂ）に示すように、それぞれの有機ＥＬランプ５１の表面に色素層４０を形成している。有機ＥＬランプ５１は所定間隔を空けて積層され、有機ＥＬランプ５１の色素層４０形成面の間を空気が流通するようになっている。したがって、本実施形態では色素を固定するための通気性部材を設けていない。
【００７５】
本実施形態の構成によれば、有機ＥＬランプ５１の発した可視光は、有機ＥＬランプ５１表面の色素層４０の色素に吸収され、色素は三重項励起状態となる。この三重項励起状態の色素に有機ＥＬランプ５１間を通過する空気中の酸素が接触すると、色素から酸素にエネルギーが移行し、一重項酸素が生成される。
【００７６】
したがって、吸入口１１から空気浄化装置１内に吸入された車室内の空気は、有機ＥＬランプ５１間を通過するときに汚染分子を酸化分解され、浄化された空気となって排出口１２から車室内に吹き出される。
【００７７】
本実施形態の空気浄化装置１においても、有機ＥＬランプ５１が発光する可視光を色素に照射して空気を浄化することができ、紫外線光源は不要である。したがって、第１、第２の実施形態と同様に、紫外線の装置外への漏洩を防止したり紫外線による構成部材の劣化を抑制したりするために、構造が複雑になることを防止できる。このようにして、紫外線光源を廃止して構造を簡素化することができる。
【００７８】
また、有機ＥＬランプ５１の表面に色素層４０が形成されているので、色素に強い可視光を略均一に照射でき、一重項酸素を多量に発生することができる。また、有機ＥＬランプ５１を積層して複数設けているので、色素と空気とを接触させ易い。さらに、通気性部材を必要としないので、空気浄化装置１を小型化し易い。
【００７９】
本実施形態では、可視光の発光手段は有機ＥＬランプ５１であったが、シート状の可視光の発光手段であれば適用することが可能である。
【００８０】
また、有機ＥＬランプ５１の表面に固定化される色素は、可視光を吸収して三重項励起状態となり空気中の酸素を一重項励起状態とできる色素であればよく、第１、第２の実施形態と同様に、メチレンブルー４１、エオシンＹ４２、ローズベンガル４３の他に、チオニン、エリトロシン、フルオレッセイン、プロフラビン、フルオレノン、ローダミンＢ、テトラフェニルポルフィリン、クロロフィル類、クロロフィリン、ヘモグロビン類、ヘミン、およびこれらの誘導体を単独もしくは複数組み合わせて採用可能である。
【００８１】
（第４の実施形態）
次に、第４の実施形態について図８に基づいて説明する。
【００８２】
本第４の実施形態は、前述の第１の実施形態と比較して、蛍光管等の発光手段を用いず、自然光（太陽光）を用いる点が異なる。なお、第１の実施形態と同様の部分については、同一の符号をつけ、その説明を省略する。
【００８３】
図８に示すように、本実施形態の空気浄化装置１のケース１０には、上面に導光口６０が開口しており、ケース１０内の色素を固定した通気性部材３０に、導光口６０を介して外部から自然光中の可視光を照射できるようになっている。導光口６０は本実施形態における導光手段であるとともに照射手段である。
【００８４】
なお、導光口６０は透明な透光カバー６１により覆われており、ケース１０内の送風空気が導光口６０から車室内に漏れないようになっている。
【００８５】
本実施形態の構成によれば、導光口６０を介して導光された可視光は、コルゲート積層体（通気性部材）３０表面の色素に吸収され、色素は三重項励起状態となる。この三重項励起状態の色素にコルゲート積層体３０を通過する空気中の酸素が接触すると、色素から酸素にエネルギーが移行し、一重項酸素が生成される。
【００８６】
したがって、吸入口１１から空気浄化装置１内に吸入された車室内の空気は、有機ＥＬランプ５１間を通過するときに汚染分子を酸化分解され、浄化された空気となって排出口１２から車室内に吹き出される。
【００８７】
本実施形態の空気浄化装置１においても、自然光を色素に照射して空気を浄化することができ、紫外線光源は不要である。したがって、紫外線の装置外への漏洩を防止したり紫外線による構成部材（特にケース１０）の劣化を抑制したりするために、構造が複雑になることを防止できる。このようにして、紫外線光源を廃止して構造を簡素化することができる。
【００８８】
また、可視光光源を必要としないので、構造を一層簡素化できるとともに、消費エネルギーを低減することができる。
【００８９】
本実施形態の導光手段は、ケース１０に設けた導光口６０であったが、自然光中の可視光を導光し色素に照射できるものであればよい。例えば、光ファイバー等を用いて外部から太陽光を導光するものであってもよい。
【００９０】
（他の実施形態）
上記第１〜第３の実施形態では、可視光の照射手段として可視光発光手段を備え、上記第４の実施形態では、可視光の照射手段として可視光導光手段を備えていたが、発光手段と導光手段との両者を備えるものであってもよい。これによれば、自然光が利用できるときには導光手段により導光した可視光を用い、自然光が利用し難いときには発光手段が発光した可視光を用いることが可能である。したがって、安定した空気浄化を比較的少ないエネルギー消費で行なうことができる。
【００９１】
また、上記各実施形態では、空気浄化装置１は、車室内のリアトレイ上に配置されていたが、この場所に限定されるものではない。例えば、車室内の天井面に配置するものであってもよい。
【００９２】
また、上記各実施形態では、空気浄化装置１は、車室内の空気を浄化するものであったが、これに限定されるものではなく、本発明は車室以外の空気の浄化にも広く適用可能である。
【図面の簡単な説明】
【００９３】
【図１】本発明を適用した第１の実施形態における空気浄化装置１の概略構成を示す断面図である。
【図２】（ａ）は、空気浄化装置１に用いられるコルゲート積層体３０の概略構成を示す斜視図であり、（ｂ）は、コルゲート積層体３０の表面拡大図である。
【図３】色素および酸素のエネルギー準位を説明する図である。
【図４】色素の吸光度特性を示すグラフである。
【図５】担持体４９とともに色素を固定した場合の要部断面図である。
【図６】本発明を適用した第２の実施形態における空気浄化装置１の概略構成を示す断面図である。
【図７】（ａ）は、本発明を適用した第３の実施形態における空気浄化装置１の概略構成を示す断面図であり、（ｂ）は、有機ＥＬランプ５１の平面図である。
【図８】本発明を適用した第４の実施形態における空気浄化装置１の概略構成を示す断面図である。
【符号の説明】
【００９４】
１  空気浄化装置
１０  ケース
３０  コルゲート積層体（通気性部材）
４０  色素層
４１  メチレンブルー（色素）
４２  エオシンＹ（色素）
４３  ローズベンガル（色素）
４１Ａ、４２Ａ、４３Ａ  色素固定領域
４９  担持体
５０  蛍光管（照射手段、発光手段）
５１  有機ＥＬランプ（照射手段、発光手段）
６０  導光口（照射手段、導光手段）
【図１】
2006081618.tif 000003
【図２】
2006081618.tif 000004
【図３】
2006081618.tif 000005
【図４】
2006081618.tif 000006
【図５】
2006081618.tif 000007
【図６】
2006081618.tif 000008
【図７】
2006081618.tif 000009
【図８】
2006081618.tif 000010